(57)【要約】      （修正有）【課題】  ＤＨＣＰ環境のＬＡＮにおいて、当該ＬＡＮ内のコンテンツサーバと情報端末装置とのコネクション確立をすることができるコンテンツ再生システムを提供する。【解決手段】  ＤＨＣＰ環境のＬＡＮ内に構築され、コンテンツサーバ１と情報端末装置２とで構成されるコンテンツ再生システム。前記コンテンツサーバ１には、前記情報端末装置２固有のＩＤと同じＩＤがプリセットされたソフトウェアがインストールされている。コンテンツ再生プレーヤが起動された際に、当該情報端末装置２は、ＤＨＣＰにより振り分けられた自己のＩＰアドレス及び情報端末装置２固有のＩＤを暗号化したパケットデータを前記ＬＡＮに接続された各装置にブロードキャスト方式にて送信する。前記コンテンツサーバ１は、復号化されたＩＤと前記インストールされたＩＤとが一致したときに、前記コンテンツサーバ１と前記情報端末装置２とのコネクション確立を行う。【選択図】      図１
2007088690.tif 000002
【特許請求の範囲】
【請求項１】
ＤＨＣＰ環境のＬＡＮ内に構築され、コンテンツサーバと情報端末装置とで構成されるコンテンツ再生システムであって、
前記情報端末装置は、当該情報端末装置固有のＩＤが書き込まれた記憶部を備えており、
前記コンテンツサーバには、前記情報端末装置固有のＩＤと同じＩＤがプリセットされたソフトウェアがインストールされており、
前記情報端末装置が有するコンテンツ再生プレーヤが起動された際に、当該情報端末装置は、ＤＨＣＰにより振り分けられた自己のＩＰアドレス及び情報端末装置固有のＩＤを暗号化したパケットデータを前記ＬＡＮに接続された各装置にブロードキャスト方式にて送信するとともに、
前記コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴とするコンテンツ再生システム。
【請求項２】
ＤＨＣＰ環境のＬＡＮ内に構築され、コンテンツサーバと情報端末装置とで構成されるコンテンツ再生システムであって、
前記情報端末装置は、当該情報端末装置固有のＩＤが書き込まれた記憶部を備えており、
前記コンテンツサーバには、前記情報端末装置固有のＩＤと同じＩＤがプリセットされたソフトウェアがインストールされており、
前記情報端末装置が有するコンテンツ再生プレーヤが起動された際に、当該情報端末装置は、ＤＨＣＰにより振り分けられた自己のＩＰアドレス及び情報端末装置固有のＩＤを暗号化したパケットデータを前記ＬＡＮに接続された各装置に総当り方式にて送信するとともに、
前記コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴とするコンテンツ再生システム。
【請求項３】
ＤＨＣＰ環境のＬＡＮ内に構築され、コンテンツサーバと情報端末装置とで構成されるコンテンツ再生システムであって、
前記情報端末装置は、当該情報端末装置が有するアプリケーション毎に設定された固有のアプリケーションＩＤが書き込まれた記憶部を備えており、
前記コンテンツサーバには、前記情報端末装置のアプリケーションＩＤと同じアプリケーションＩＤがプリセットされたソフトウェアがインストールされており、
前記情報端末装置が有するコンテンツ再生プレーヤが起動された際に、当該情報端末装置は、ＤＨＣＰにより振り分けられた自己のＩＰアドレス、及び前記起動されたコンテンツのアプリケーションＩＤを暗号化したパケットデータを前記ＬＡＮに接続された各装置にブロードキャスト方式又は総当り方式にて送信するとともに、
前記コンテンツサーバは、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴とするコンテンツ再生システム。
【請求項４】
ＤＨＣＰ環境のＬＡＮ内に構築され、コンテンツサーバと情報端末装置とで構成されるコンテンツ再生システムであって、
前記情報端末装置は、当該情報端末装置固有のＩＤが書き込まれた記憶部を備えており、
前記コンテンツサーバには、前記情報端末装置固有のＩＤと同じＩＤがプリセットされたソフトウェアがインストールされており、
前記情報端末装置が有するコンテンツ再生プレーヤが起動されたとき及びその後一定時間間隔で、当該情報端末装置は、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信するとともに、
前記コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴とするコンテンツ再生システム。
【請求項５】
ＤＨＣＰ環境のＬＡＮ内に構築され、コンテンツサーバと情報端末装置とで構成されるコンテンツ再生システムであって、
前記情報端末装置は、当該情報端末装置が有するアプリケーション毎に設定された固有のアプリケーションＩＤが書き込まれた記憶部を備えており、
前記コンテンツサーバには、前記情報端末装置のアプリケーションＩＤと同じアプリケーションＩＤがプリセットされたソフトウェアがインストールされており、
前記情報端末装置が有するコンテンツ再生プレーヤが起動されたとき及びその後一定時間間隔で、当該情報端末装置は、ＤＨＣＰにより振り分けられた自己のＩＰアドレス、及び前記起動されたコンテンツのアプリケーションＩＤを暗号化したパケットデータを前記ＬＡＮに接続された各装置にブロードキャスト方式又は総当り方式にて送信するとともに、
前記コンテンツサーバは、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うように構成されたことを特徴とするコンテンツ再生システム。
【請求項６】
ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている当該情報端末装置固有のＩＤと同じＩＤがプリセットされたソフトウェアをインストールするステップと、
前記情報端末装置において、当該情報端末装置が有するコンテンツ再生プレーヤが起動された際に、前記情報端末装置が、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴とするコネクション確立方法。
【請求項７】
ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている、当該情報端末装置が有するアプリケーション毎に設定された固有のアプリケーションＩＤと同じアプリケーションＩＤがプリセットされたソフトウェアをインストールするステップと、
前記情報端末装置において、当該情報端末装置が有するコンテンツ再生プレーヤが起動された際に、前記情報端末装置が、ＤＨＣＰにより振り分けられた自己のＩＰアドレス及び前記起動されたコンテンツのアプリケーションＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴とするコネクション確立方法。
【請求項８】
ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている当該情報端末装置固有のＩＤと同じＩＤがプリセットされたソフトウェアをインストールするステップと、
前記情報端末装置において、当該情報端末装置が有するコンテンツ再生プレーヤが起動されたとき及びその後一定時間間隔で、前記情報端末装置が、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴とするコネクション確立方法。
【請求項９】
ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている、当該情報端末装置が有するアプリケーション毎に設定された固有のアプリケーションＩＤと同じアプリケーションＩＤがプリセットされたソフトウェアをインストールするステップと、
前記情報端末装置において、当該情報端末装置が有するコンテンツ再生プレーヤが起動されたとき及びその後一定時間間隔で、前記情報端末装置が、ＤＨＣＰにより振り分けられた自己のＩＰアドレス及び前記起動されたコンテンツのアプリケーションＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴とするコネクション確立方法。
【請求項１０】
ＤＨＣＰ環境のＬＡＮ内に構築され、コンテンツサーバと情報端末装置とで構成されるコンテンツ再生システムにおけるコンテンツサーバであって、
前記情報端末装置に予め記憶されている当該情報端末装置固有のＩＤと同じＩＤがプリセットされたソフトウェアがインストールされており、
前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び当該情報端末装置固有のＩＤを暗号化したパケットデータを受信する手段を備えており、
前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記情報端末装置とのコネクション確立を行うよう構成されたことを特徴とするコンテンツサーバ。
【請求項１１】
ＤＨＣＰ環境のＬＡＮ内に構築され、コンテンツサーバと情報端末装置とで構成されるコンテンツ再生システムにおけるコンテンツサーバであって、
前記情報端末装置に予め記憶されている当該情報端末装置が有するアプリケーション毎に設定された固有のアプリケーションＩＤと同じアプリケーションＩＤがプリセットされたソフトウェアがインストールされており、
前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び前記起動されたコンテンツのアプリケーションＩＤを暗号化したパケットデータを受信する手段を備えており、
前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記情報端末装置とのコネクション確立を行うよう構成されたことを特徴とするコンテンツサーバ。
【請求項１２】
ＤＨＣＰ環境のＬＡＮ内に構築され、コンテンツサーバと情報端末装置とで構成されるコンテンツ再生システムにおける情報端末装置であって、
この情報端末装置は、当該情報端末装置固有のＩＤが書き込まれた記憶部を備えており、
前記情報端末装置が有するコンテンツ再生プレーヤが起動された際に、ＤＨＣＰにより振り分けられた自己のＩＰアドレス及び前記固有のＩＤを暗号化したパケットデータを前記ＬＡＮに接続された各装置にブロードキャスト方式又は総当り方式にて送信し得るとともに、前記固有のＩＤと同じＩＤがプリセットされたソフトウェアがインストールされたコンテンツサーバから返信されるＩＰアドレスを受信して当該コンテンツサーバとのコネクション確立を行うよう構成されたことを特徴とする情報端末装置。
【請求項１３】
ＤＨＣＰ環境のＬＡＮ内に構築され、コンテンツサーバと情報端末装置とで構成されるコンテンツ再生システムにおける情報端末装置であって、
この情報端末装置は、当該情報端末装置が有するアプリケーション毎に設定された固有のアプリケーションＩＤが書き込まれた記憶部を備えており、
前記情報端末装置が有するコンテンツ再生プレーヤが起動された際に、ＤＨＣＰにより振り分けられた自己のＩＰアドレス及び前記起動されたコンテンツのアプリケーションＩＤを暗号化したパケットデータを前記ＬＡＮに接続された各装置にブロードキャスト方式又は総当り方式にて送信し得るとともに、前記アプリケーションＩＤと同じアプリケーションＩＤがプリセットされたソフトウェアがインストールされたコンテンツサーバから返信されるＩＰアドレスを受信して当該コンテンツサーバとのコネクション確立を行うよう構成されたことを特徴とする情報端末装置。
【請求項１４】
ＤＨＣＰ環境のＬＡＮ内に構築され、コンテンツサーバと情報端末装置とで構成されるコンテンツ再生システムにおける、前記コンテンツサーバの記憶媒体であって、
前記情報端末装置に予め記憶されている当該情報端末装置固有のＩＤと同じＩＤ、及び当該情報端末装置と共通の秘密鍵がプリセットされ、
前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び当該情報端末装置固有のＩＤを暗号化したパケットデータを復号化する所定の復号化手段を備え、
復号化されたＩＤと前記インストールされたＩＤとが一致したときに、前記情報端末装置に、ＤＨＣＰにより振り分けられた自己のＩＰアドレスを返信することによって、前記情報端末装置とのコネクション確立を行うソフトウェアを含むサーバソフトウェアを格納したことを特徴とする記憶媒体。
【発明の詳細な説明】
【技術分野】
【０００１】
本発明は、コンテンツ再生システム、コネクション確立方法、コンテンツサーバ、情報端末装置及び記憶媒体に関する。さらに詳しくは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）環境のＬＡＮ内において音楽、動画等のコンテンツを再生するシステム、このシステムを構成するコンテンツサーバ及び情報端末装置、これらコンテンツサーバと情報端末装置との間にコネクションを確立する方法並びにサーバソフトウェアが格納された記憶媒体に関する。
【背景技術】
【０００２】
ユーザが簡単にインターネットに接続することができるとともに、ネットワーク管理者が多くのクライアントを容易に一元管理することができることから、ＤＨＣＰが多用されている。このＤＨＣＰでは、ＤＨＣＰサーバによって各クライアントにＩＰアドレスが自動的に割り当てられるが、例えばＤＨＣＰ環境のＬＡＮ内においてクライアント同士で別のシステムを構築して情報のやり取りを行う場合がある。その際、新たなサーバクライアントシステムを構築する両ＤＨＣＰクライアント間のコネクションを確立するために、ユーザは、サーバのＩＰアドレスを設定する必要があった。このＩＰアドレスの設定は、操作が煩雑であり、煩わしいものであった。
【発明の開示】
【発明が解決しようとする課題】
【０００３】
本発明は、このような事情に鑑みてなされたものであり、ＤＨＣＰ環境のＬＡＮにおいて作業者やユーザがネットワーク設定をすることなく、当該ＬＡＮ内のコンテンツサーバと情報端末装置とのコネクション確立をすることができるコンテンツ再生システム、このシステムを構成するコンテンツサーバ及び情報端末装置、これらコンテンツサーバと情報端末装置との間にコネクションを確立する方法、並びにサーバソフトウェアが格納された記憶媒体を提供することを目的としている。
【課題を解決するための手段】
【０００４】
本発明のコンテンツ再生システムは、ＤＨＣＰ環境のＬＡＮ内に構築され、コンテンツサーバと情報端末装置とで構成されるコンテンツ再生システムであって、
前記情報端末装置は、当該情報端末装置固有のＩＤが書き込まれた記憶部を備えており、
前記コンテンツサーバには、前記情報端末装置固有のＩＤと同じＩＤがプリセットされたソフトウェアがインストールされており、
前記情報端末装置が有するコンテンツ再生プレーヤが起動された際に、当該情報端末装置は、ＤＨＣＰにより振り分けられた自己のＩＰアドレス及び情報端末装置固有のＩＤを暗号化したパケットデータを前記ＬＡＮに接続された各装置にブロードキャスト方式にて送信するとともに、
前記コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴としている（請求項１）。
【０００５】
本発明の請求項１に係るシステムでは、ＤＨＣＰ環境のＬＡＮ内において新たなサーバクライアントシステムを構築するサーバコンピュータに、音楽や動画等のサーバソフトウェアをインストールする際に前記情報端末装置と共通のＩＤがプリセットされたサーバソフトウェアがインストールされる。また、サーバソフトウェアと情報端末装置には共通の秘密鍵が設定されている。そして、前記情報端末装置が有する、音楽再生プレーヤ等のコンテンツ再生プレーヤが起動されると、当該情報端末装置は、ＤＨＣＰにより振り分けられた自己のＩＰアドレス及び情報端末装置固有のＩＤを暗号化したパケットデータを前記ＬＡＮに接続された各装置にブロードキャスト方式にて送信する。一方、コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信する。これにより、作業者又はユーザによるＩＰアドレスの設定操作を要することなく、コンテンツサーバと情報端末装置とのコネクションを確立することができる。
なお、本明細書において、コンテンツサーバにインストールされるソフトウェアとは、サーバソフトウェアのことである。
【０００６】
また、本発明のコンテンツ再生システムは、ＤＨＣＰ環境のＬＡＮ内に構築され、コンテンツサーバと情報端末装置とで構成されるコンテンツ再生システムであって、
前記情報端末装置は、当該情報端末装置固有のＩＤが書き込まれた記憶部を備えており、
前記コンテンツサーバには、前記情報端末装置固有のＩＤと同じＩＤがプリセットされたソフトウェアがインストールされており、
前記情報端末装置が有するコンテンツ再生プレーヤが起動された際に、当該情報端末装置は、ＤＨＣＰにより振り分けられた自己のＩＰアドレス及び情報端末装置固有のＩＤを暗号化したパケットデータを前記ＬＡＮに接続された各装置に総当り方式にて送信するとともに、
前記コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴としている（請求項２）。
【０００７】
請求項２に係るシステムでは、ブロードキャスト方式（請求項１）に代えて、総当り方式で前記パケットデータが情報端末装置からＬＡＮに接続された各装置に送信される。この構成においても、コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信する。これにより、作業者又はユーザによるＩＰアドレスの設定操作を要することなく、コンテンツサーバと情報端末装置とのコネクションを確立することができる。
【０００８】
また、本発明のコンテンツ再生システムは、ＤＨＣＰ環境のＬＡＮ内に構築され、コンテンツサーバと情報端末装置とで構成されるコンテンツ再生システムであって、
前記情報端末装置は、当該情報端末装置が有するアプリケーション毎に設定された固有のアプリケーションＩＤが書き込まれた記憶部を備えており、
前記コンテンツサーバには、前記情報端末装置のアプリケーションＩＤと同じアプリケーションＩＤがプリセットされたソフトウェアがインストールされており、
前記情報端末装置が有するコンテンツ再生プレーヤが起動された際に、当該情報端末装置は、ＤＨＣＰにより振り分けられた自己のＩＰアドレス、及び前記起動されたコンテンツのアプリケーションＩＤを暗号化したパケットデータを前記ＬＡＮに接続された各装置にブロードキャスト方式又は総当り方式にて送信するとともに、
前記コンテンツサーバは、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴としている（請求項３）。
【０００９】
本発明の請求項３に係るシステムでは、作業者又はユーザの設定なしにコンテンツサーバと情報端末装置のコネクション確立をすることができるという請求項１〜２に係るシステムの効果に加えて、前記コネクション確立をアプリケーション単位で、換言すれば音楽コンテンツや動画コンテンツ等のコンテンツ単位で行えると効果が得られる。すなわち、ＤＨＣＰ環境においてサーバクライアントシステムを構築する従来のシステムでは、サーバ又は情報端末装置毎のコネクション確立を行なっている。このため、クライアントアプリケーションが更新された後に、新しいアプリケーションに対応していないサーバが起動しているときに辻褄の合わない動作になることがあった。例えば、情報端末装置が音楽再生ソフト及び動画映像再生ソフトを最新のバージョンのものに更新していたにもかかわらず、音楽ソフトや動画ソフトのサーバとなるべきパーソナルコンピュータに音楽サーバにのみ対応したソフトがインストールされていると、ユーザ側では、動画映像のメニューが表示されているにもかかわらず、動画映像を再生することができない。本発明の請求項３に係るシステムでは、情報端末装置から送信されてきた暗号化されたパケットデータを復号化でき、なおかつＩＤが一致し、さらに所定のコンテンツが存在するサーバだけがＩＰアドレスを返信するので、前述したような余計なメニューが表示されることがなく、ユーザの使い勝手をよくすることができる。
【００１０】
また、本発明のコンテンツ再生システムは、ＤＨＣＰ環境のＬＡＮ内に構築され、コンテンツサーバと情報端末装置とで構成されるコンテンツ再生システムであって、
前記情報端末装置は、当該情報端末装置固有のＩＤが書き込まれた記憶部を備えており、
前記コンテンツサーバには、前記情報端末装置固有のＩＤと同じＩＤがプリセットされたソフトウェアがインストールされており、
前記情報端末装置が有するコンテンツ再生プレーヤが起動されたとき及びその後一定時間間隔で、当該情報端末装置は、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信するとともに、
前記コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うよう構成されたことを特徴としている（請求項４）。
【００１１】
本発明の請求項４に係るシステムでは、作業者又はユーザの設定なしにコンテンツサーバと情報端末装置のコネクション確立をすることができるという請求項１〜２に係るシステムの効果に加えて、コンテンツサーバと情報端末装置との接続を所定時間間隔で監視することで、コネクション確立を動的に行なえるという効果が得られる。すなわち、ＤＨＣＰ環境においてサーバクライアントシステムを構築する従来のシステムでは、コネクション確立を前記情報端末装置のソフトウェア起動時にのみ行なっていたため、その後にコンテンツサーバが更新（新たなコンテンツサーバがＬＡＮに接続されたり、別のコンテンツサーバに交換されたりすること）されたときや、コンテンツサーバの電源が落とされたときに対応することができなかった。これに対し、本発明の請求項４に係るシステムでは、コンテンツ再生プレーヤが起動されたときだけでなく、その後一定時間間隔で、情報端末装置は、前記パケットデータを前記ＬＡＮに接続された各装置にブロードキャスト方式又は総当り方式にて送信し、コンテンツサーバは、復号化されたＩＤと前記インストールされたＩＤとが一致したときに、前記情報端末装置に、ＤＨＣＰにより振り分けられた自己のＩＰアドレスを返信する。これにより、情報端末装置は一定時間間隔でコンテンツサーバとの接続を監視し、コネクション確立を動的にすることができる。
【００１２】
また、本発明のコンテンツ再生システムは、ＤＨＣＰ環境のＬＡＮ内に構築され、コンテンツサーバと情報端末装置とで構成されるコンテンツ再生システムであって、
前記情報端末装置は、当該情報端末装置が有するアプリケーション毎に設定された固有のアプリケーションＩＤが書き込まれた記憶部を備えており、
前記コンテンツサーバには、前記情報端末装置のアプリケーションＩＤと同じアプリケーションＩＤがプリセットされたソフトウェアがインストールされており、
前記情報端末装置が有するコンテンツ再生プレーヤが起動されたとき及びその後一定時間間隔で、当該情報端末装置は、ＤＨＣＰにより振り分けられた自己のＩＰアドレス、及び前記起動されたコンテンツのアプリケーションＩＤを暗号化したパケットデータを前記ＬＡＮに接続された各装置にブロードキャスト方式又は総当り方式にて送信するとともに、
前記コンテンツサーバは、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うように構成されたことを特徴としている（請求項５）。
【００１３】
本発明の請求項５に係るシステムでは、請求項４に係るシステムの効果に加えて、アプリケーション単位でコネクション確立をすることができるので、情報端末装置において余計なメニューが表示されることがなく、ユーザの使い勝手をよくすることができる。
【００１４】
さらに、本発明のコネクション確立方法は、ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている当該情報端末装置固有のＩＤと同じＩＤがプリセットされたソフトウェアをインストールするステップと、
前記情報端末装置において、当該情報端末装置が有するコンテンツ再生プレーヤが起動された際に、前記情報端末装置が、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴としている（請求項６）。
【００１５】
本発明の確立方法では、情報端末装置に予め記憶されている当該情報端末装置固有のＩＤと同じＩＤがプリセットされたサーバソフトウェアがコンテンツサーバにインストールされる。そして、前記情報端末装置が有する、音楽再生プレーヤ等のコンテンツ再生プレーヤが起動されると、当該情報端末装置は、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信する。一方、コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信する。これにより、作業者又はユーザによるＩＰアドレスの設定操作を要することなく、コンテンツサーバと情報端末装置とのコネクションを確立することができる。
【００１６】
また、本発明のコネクション確立方法は、ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている、当該情報端末装置が有するアプリケーション毎に設定された固有のアプリケーションＩＤと同じアプリケーションＩＤがプリセットされたソフトウェアをインストールするステップと、
前記情報端末装置において、当該情報端末装置が有するコンテンツ再生プレーヤが起動された際に、前記情報端末装置が、ＤＨＣＰにより振り分けられた自己のＩＰアドレス及び前記起動されたコンテンツのアプリケーションＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴としている（請求項７）。
【００１７】
本発明の請求項７に係る確立方法では、作業者又はユーザの設定なしにコンテンツサーバと情報端末装置のコネクション確立をすることができるという請求項６に係る確立方法の効果に加えて、前述したように、コネクション確立をアプリケーション単位で行えると効果が得られ、情報端末装置において余計なメニューが表示されることがなく、ユーザの使い勝手をよくすることができる。
【００１８】
また、本発明のコネクション確立方法は、ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている当該情報端末装置固有のＩＤと同じＩＤがプリセットされたソフトウェアをインストールするステップと、
前記情報端末装置において、当該情報端末装置が有するコンテンツ再生プレーヤが起動されたとき及びその後一定時間間隔で、前記情報端末装置が、ＤＨＣＰにより振り分けられた自己のＩＰアドレス及び情報端末装置固有のＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴としている（請求項８）。
【００１９】
本発明の請求項８に係る確立方法では、作業者又はユーザの設定なしにコンテンツサーバと情報端末装置のコネクション確立をすることができるという請求項６に係る確立方法の効果に加えて、前述したように、コンテンツサーバと情報端末装置との接続を所定時間間隔で監視することで、コネクション確立を動的に行なえるという効果が得られる。
【００２０】
また、本発明のコネクション確立方法は、  ＤＨＣＰ環境のＬＡＮ内に構築され、コンテンツサーバと情報端末装置とで構成されるコンテンツ再生システムにおける、前記コンテンツサーバと情報端末装置とのコネクション確立方法であって、
前記コンテンツサーバにおいて、前記情報端末装置に予め記憶されている、当該情報端末装置が有するアプリケーション毎に設定された固有のアプリケーションＩＤと同じアプリケーションＩＤがプリセットされたソフトウェアをインストールするステップと、
前記情報端末装置において、当該情報端末装置が有するコンテンツ再生プレーヤが起動されたとき及びその後一定時間間隔で、前記情報端末装置が、ＤＨＣＰにより振り分けられた自己のＩＰアドレス及び前記起動されたコンテンツのアプリケーションＩＤを暗号化したパケットデータを前記ＬＡＮに接続された各装置にブロードキャスト方式又は総当り方式にて送信するステップと、
前記コンテンツサーバにおいて、前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記コンテンツサーバと前記情報端末装置とのコネクション確立を行うステップと
を含むことを特徴としている（請求項９）。
【００２１】
本発明の請求項９に係る確立方法では、請求項８に係る確立方法の効果に加えて、アプリケーション単位でコネクション確立をすることができるので、情報端末装置において余計なメニューが表示されることがなく、ユーザの使い勝手をよくすることができる。
【００２２】
さらに、本発明のコンテンツサーバは、ＤＨＣＰ環境のＬＡＮ内に構築され、コンテンツサーバと情報端末装置とで構成されるコンテンツ再生システムにおけるコンテンツサーバであって、
前記情報端末装置に予め記憶されている当該情報端末装置固有のＩＤと同じＩＤがプリセットされたソフトウェアがインストールされており、
前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び当該情報端末装置固有のＩＤを暗号化したパケットデータを受信する手段を備えており、
前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信することによって、前記情報端末装置とのコネクション確立を行うよう構成されたことを特徴としている（請求項１０）。
【００２３】
本発明の請求項１０に係るコンテンツサーバは、情報端末装置に予め記憶されている当該情報端末装置固有のＩＤと同じＩＤがプリセットされたサーバソフトウェアがインストールされている。また、前記情報端末装置が有するコンテンツ再生プレーヤが起動された際に当該情報端末装置よりブロードキャスト方式又は総当り方式にて送信される、前記情報端末装置のＩＰアドレス及び当該情報端末装置固有のＩＤを暗号化したパケットデータを受信する手段を備えている。そして、コンテンツサーバは、前記パケットデータを受信すると、そのデータを所定の復号化手段によって復号化し、復号化されたＩＤと前記インストールされたＩＤとが一致したときに、前記情報端末装置に、ＤＨＣＰにより振り分けられた自己のＩＰアドレスを返信するよう構成されている。これにより、作業者又はユーザによるＩＰアドレスの設定操作を要することなく、コンテンツサーバと情報端末装置とのコネクションを確立することができる。
【００２４】
また、本発明のコンテンツサーバは、ＤＨＣＰ環境のＬＡＮ内に構築され、コンテンツサーバと情報端末装置とで構成されるコンテンツ再生システムにおけるコンテンツサーバであって、
前記情報端末装置に予め記憶されている当該情報端末装置が有するアプリケーション毎に設定された固有のアプリケーションＩＤと同じアプリケーションＩＤがプリセットされたソフトウェアがインストールされており、
前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び前記起動されたコンテンツのアプリケーションＩＤを暗号化したパケットデータを受信する手段を備えており、
前記パケットデータを受信すると、そのデータを所定の復号化手段によって復号化し、復号化されたアプリケーションＩＤと前記インストールされたアプリケーションＩＤとが一致したときに、前記情報端末装置に、ＤＨＣＰにより振り分けられた自己のＩＰアドレスを返信することによって、前記情報端末装置とのコネクション確立を行うよう構成されたことを特徴としている（請求項１１）。
【００２５】
本発明の請求項１１に係るコンテンツサーバでは、作業者又はユーザの設定なしにコンテンツサーバと情報端末装置のコネクション確立をすることができるという請求項１０に係るコンテンツサーバの効果に加えて、前述したように、コネクション確立をアプリケーション単位で行えると効果が得られ、情報端末装置において余計なメニューが表示されることがなく、ユーザの使い勝手をよくすることができる。
【００２６】
さらに、本発明の情報端末装置は、ＤＨＣＰ環境のＬＡＮ内に構築され、コンテンツサーバと情報端末装置とで構成されるコンテンツ再生システムにおける情報端末装置であって、
この情報端末装置は、当該情報端末装置固有のＩＤが書き込まれた記憶部を備えており、
前記情報端末装置が有するコンテンツ再生プレーヤが起動された際に、ＤＨＣＰにより振り分けられた自己のＩＰアドレス及び前記固有のＩＤを暗号化したパケットデータを前記ＬＡＮに接続された各装置にブロードキャスト方式又は総当り方式にて送信し得るとともに、前記固有のＩＤと同じＩＤがプリセットされたソフトウェアがインストールされたコンテンツサーバから返信されるＩＰアドレスを受信して当該コンテンツサーバとのコネクション確立を行うよう構成されたことを特徴としている（請求項１２）。
【００２７】
本発明の請求項１２に係る情報端末装置は、当該情報端末装置固有のＩＤが書き込まれた記憶部を備えている。そして、この情報端末装置は、当該情報端末装置が有するコンテンツ再生プレーヤが起動された際に、ＤＨＣＰにより振り分けられた自己のＩＰアドレス及び前記固有のＩＤを暗号化したパケットデータを前記ＬＡＮに接続された各装置にブロードキャスト方式又は総当り方式にて送信し得るとともに、前記固有のＩＤと同じＩＤがプリセットされたサーバソフトウェアがインストールされたコンテンツサーバから返信されるＩＰアドレスを受信し得るよう構成されている。これにより、作業者又はユーザによるＩＰアドレスの設定操作を要することなく、コンテンツサーバと情報端末装置とのコネクションを確立することができる。
【００２８】
また、本発明の情報端末装置は、ＤＨＣＰ環境のＬＡＮ内に構築され、コンテンツサーバと情報端末装置とで構成されるコンテンツ再生システムにおける情報端末装置であって、
この情報端末装置は、当該情報端末装置が有するアプリケーション毎に設定された固有のアプリケーションＩＤが書き込まれた記憶部を備えており、
前記情報端末装置が有するコンテンツ再生プレーヤが起動された際に、ＤＨＣＰにより振り分けられた自己のＩＰアドレス及び前記起動されたコンテンツのアプリケーションＩＤを暗号化したパケットデータを前記ＬＡＮに接続された各装置にブロードキャスト方式又は総当り方式にて送信し得るとともに、前記アプリケーションＩＤと同じアプリケーションＩＤがプリセットされたソフトウェアがインストールされたコンテンツサーバから返信されるＩＰアドレスを受信して当該コンテンツサーバとのコネクション確立を行うよう構成されたことを特徴としている（請求項１３）。
【００２９】
本発明の請求項１３に係る情報端末装置では、作業者又はユーザの設定なしにコンテンツサーバと情報端末装置のコネクション確立をすることができるという請求項１２に係る情報端末装置の効果に加えて、前述したように、コネクション確立をアプリケーション単位で行えると効果が得られ、情報端末装置において余計なメニューが表示されることがなく、ユーザの使い勝手をよくすることができる。
【００３０】
また、本発明の記憶媒体は、ＤＨＣＰ環境のＬＡＮ内に構築され、コンテンツサーバと情報端末装置とで構成されるコンテンツ再生システムにおける、前記コンテンツサーバの記憶媒体であって、
前記情報端末装置に予め記憶されている当該情報端末装置固有のＩＤと同じＩＤ、及び当該情報端末装置と共通の秘密鍵がプリセットされ、
前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び当該情報端末装置固有のＩＤを暗号化したパケットデータを復号化する所定の復号化手段を備え、
復号化されたＩＤと前記インストールされたＩＤとが一致したときに、前記情報端末装置に、ＤＨＣＰにより振り分けられた自己のＩＰアドレスを返信することによって、前記情報端末装置とのコネクション確立を行うソフトウェアを含むサーバソフトウェアを格納したことを特徴としている（請求項１４）。
【００３１】
本発明の請求項１４に係る記憶媒体は、情報端末装置に予め記憶されている当該情報端末装置固有のＩＤと同じＩＤ、及び当該情報端末装置と共通の秘密鍵がプリセットされている。また、前記情報端末装置が有するコンテンツ再生プレーヤが起動された際に当該情報端末装置よりブロードキャスト方式又は総当り方式にて送信される、ＤＨＣＰにより振り分けられた、前記情報端末装置のＩＰアドレス及び当該情報端末装置固有のＩＤを暗号化したパケットデータを復号化する所定の復号化手段を備えている。さらに、復号化されたＩＤと前記インストールされたＩＤとが一致したときに、前記情報端末装置に、ＤＨＣＰにより振り分けられた自己のＩＰアドレスを返信することによって、前記情報端末装置とのコネクション確立を行うソフトウェアを含むサーバソフトウェアが格納されている。これにより、作業者又はユーザによるＩＰアドレスの設定操作を要することなく、コンテンツサーバと情報端末装置とのコネクションを確立することができる。
【発明の効果】
【００３２】
本発明のコンテンツ再生システム、コネクション確立方法、コンテンツサーバ、情報端末装置及び記憶媒体によれば、ＤＨＣＰ環境のＬＡＮにおいて作業者やユーザがネットワーク設定をすることなく、当該ＬＡＮのコンテンツサーバと情報端末装置とのコネクション確立をすることができる。
【発明を実施するための最良の形態】
【００３３】
以下、添付図面を参照しつつ、本発明のコンテンツ再生システム（以下、単にシステムともいう）、コネクション確立方法（以下、単に確立方法ともいう）、コンテンツサーバ、情報端末装置及び記憶媒体の実施の形態について説明をする。
図１は本発明の一実施の形態に係るシステムの説明図であり、このシステムはＤＨＣＰ環境のＬＡＮ（ローカルエリアネットワーク）内に構築され、コンテンツサーバであるパーソナルコンピュータ（以下、ＰＣともいう）１ａ，１ｂ，１ｃと、情報端末装置である浴室情報端末装置２とで主に構成されている。ＰＣ１ａ，１ｂ，１ｃ及び浴室情報端末装置２は、ＤＨＣＰ機能を備えたＨＵＢ３を介して互いに通信可能に接続されている。また、前記ＰＣ１ａ，１ｂ，１ｃ及び浴室情報端末装置２はＨＵＢ３を介して広域通信網であるインターネット（図示せず）に接続されている。本実施の形態では、ＰＣ１ｃが音楽サーバを構成しており、前記浴室情報端末装置２がＰＣ１ｃ内の音楽コンテンツをダウンロードして音楽を再生するに際し、当該ＰＣ１ｃとの間でコネクション確立を行う。なお、ユーザが利用可能なコンテンツの種類及び数は、本発明において、特に限定されるものではなく、前記音楽以外に、ゲームや電子書籍、動画映像又は静止画、ニュースや天気予報等の各種情報等を利用することができる。また、コンテンツサーバとなり得るＰＣ１の数も３に限定されず、４以上であってもよく、さらに浴室情報端末装置２の数も２以上あってもよい。
【００３４】
浴室情報端末装置２は、給湯温度の設定や浴槽湯水の追い焚きの指示をしたり、当該浴室情報端末装置２で利用可能な各種サービス（音楽鑑賞、ゲーム等）を選択したりするための操作部４、設定給湯温度やテレビ画像等を表示するための表示部５、及び設定給湯温度等の給湯関連情報の変更や浴槽への給湯の完了を音声で報知したり、テレビ放送の音声を出力したりするためのスピーカ６を備えている。前記操作部４としては、スイッチ、タッチパネル、無線（ワイヤレス）操作部等を採用することができ、また表示部５としては、発光ダイオード（ＬＥＤ）、蛍光表示管（ＦＬＤ）、液晶ディスプレイ（ＬＣＤ）等を採用することができ、いずれも本発明において、特に限定されるものではない。また、所望により、マイク等からなる音声入力部等の他の構成を付加することもできる。なお、浴室情報端末装置２は、２芯線２０を介して、例えば建物の外に設置された給湯装置本体２１に接続されており、この給湯装置本体２１は、一般給湯用、風呂追い焚き用又は温水暖房用の熱交換器、各種燃焼機及びバルブ等を含む燃焼ユニットと、給湯装置本体２１の全体動作を制御する制御部とを備えている。
【００３５】
前記浴室情報端末装置２は、図２に示されるように、当該浴室情報端末装置２の制御を司るＣＰＵからなる制御部７を備えており、この制御部７には、記憶部であるメモリ８、音声出力部９、外部との通信を行なう送信手段及び受信手段である通信部１０、前記操作部４及び前記表示部５が接続されている。また、音声出力部９には、前記スピーカ６が接続されている。
【００３６】
前記メモリ８には、前記浴室情報端末装置２固有のＩＤが記憶されており、一方、前記音楽サーバであるＰＣ１ｃには、前記浴室情報端末装置２固有のＩＤと同じＩＤがプリセットされたサーバソフトウェア及び音楽コンテンツがそれぞれインストールされている。また、前記浴室情報端末装置２及びＰＣ１ｃのサーバソフトウェアには共通の秘密鍵が設定されており、浴室情報端末装置２が有するコンテンツ再生プレーヤである音楽再生プレーヤが起動されると、当該浴室情報端末装置２は、前記秘密鍵で暗号化された前記ＩＤ及び自己のＩＰアドレスのパケットデータを前記通信部１０を介してＤＨＣＰ環境のＬＡＮに接続された各装置、すなわちＰＣ１ａ，１ｂ，１ｃにブロードキャスト方式（図３参照）又は総当り方式（図４参照）で送信する。
【００３７】
前記ＰＣ１ａ，１ｂ，１ｃは、図示しないが、いずれも記憶部であるメモリ、制御部であるＣＰＵ、及び外部との通信を行なう通信部を備えている。そして、秘密鍵が設定されるとともに前記浴室情報端末装置２固有のＩＤと同じＩＤがプリセットされたサーバソフトウェア及び音楽コンテンツがそれぞれインストールされているＰＣ１ｃは、前記パケットデータを受信すると、その制御部にて前記データを所定の復号化手段によって復号化し、復号化されたＩＤと前記インストールされたＩＤとの一致を確認する。そして、一致が確認されると、前記浴室情報端末装置２に、ＤＨＣＰにより振り分けられた自己のＩＰアドレスを返信する。これにより、前記ＰＣ１ｃと前記浴室情報端末装置２とのコネクションが確立する。すなわち、前記パケットデータを受信したＰＣのうち、暗号を復号化でき、なおかつＩＤが一致したＰＣだけが自己のＩＰアドレスを前記浴室情報端末装置２に返信することにより、ＤＨＣＰ環境における多／多のサーバ／クライアント環境で通信相手を見つけることができる。このように、作業者又はユーザによるＩＰアドレスの設定操作を要することなく、コンテンツサーバと情報端末装置とのコネクションを確立することができる。
【００３８】
浴室情報端末装置２とＰＣ１ｃとのコネクションが確立されると、ユーザは、前記ＰＣ１ｃの音楽サーバに対して利用可能な音楽ファイルを問い合わせたり、メニュー表示されたリストの中から好みの音楽ファイルをダウンロードしたりする等の操作を行なうことで、前記浴室情報端末装置２を用いて音楽を鑑賞することができる。
【００３９】
つぎに、前記パケットデータをブロードキャスト方式で送信する実施の形態について、図３を参照しつつ詳細に説明する。
まず、浴室情報端末装置２の音楽再生プレーヤが起動されると、当該浴室情報端末装置２は、自己のＩＤ（端末ＩＤ）とＩＰアドレスを秘密鍵で暗号化したパケットデータをＬＡＮ内にブロードキャスト方式で送信する（ステップＳ１）。
音楽サーバとなるＰＣには前記浴室情報端末装置２と共通のＩＤがプリセットされたサーバソフトウェアが起動しており、当該浴室情報端末装置２からの端末ＩＤとＩＰアドレスのパケットデータをブロードキャスト受信すると（ステップＳ２）、前記パケットデータを所定の復号化手段によって復号化し、端末ＩＤがプリセットされているＩＤと一致するか否かの判断をする（ステップＳ３）。
【００４０】
ＩＤが一致している場合、ＰＣにインストールされているサーバソフトウェア（以下、ＰＣサーバソフトウェアともいう）は、前記パケットデータ内のＩＰアドレスの指定ポートに自己のＩＰアドレスを返信する（一致応答を返信する）（ステップＳ４）。
浴室情報端末装置２側において、ＰＣサーバソフトウェアからの一致応答の有無を監視し（ステップＳ５）、ＰＣサーバソフトウェアから一致応答があると、当該ＰＣサーバソフトウェアとのコネクションが確立される（ステップＳ６）。この実施の形態では、ＤＨＣＰ環境においてネットワーク設定をすることなくネットワークオーディオ機能のための浴室情報端末装置２とＰＣにインストールされた音楽サーバソフトウェアとのコネクション確立をすることができる。
【００４１】
図４は、前記パケットデータを総当り方式で送信する実施の形態のフローチャートである。
この実施の形態では、浴室情報端末装置２の音楽再生プレーヤが起動されると、ＤＨＣＰによる確定されたネットワーククラスからＬＡＮのＨＯＳＴアドレスの範囲を調べ、その中の最小アドレスが相手ＩＰアドレスの初期値として設定される（ステップＳ１１）。
ついで、浴室情報端末装置２は、自己のＩＤ（端末ＩＤ）とＩＰアドレスを秘密鍵で暗号化したパケットデータを設定されたＩＰアドレスに送信する（ステップＳ１２）。
【００４２】
ＰＣサーバソフトウェアが、前記浴室情報端末装置２からの端末ＩＤとＩＰアドレスのパケットデータを受信すると（ステップＳ１３）、前記パケットデータを所定の復号化手段によって復号化し、端末ＩＤがプリセットされているＩＤと一致するか否かの判断をする（ステップＳ１４）。
ＩＤが一致している場合、ＰＣサーバソフトウェアは、前記パケットデータ内のＩＰアドレスの指定ポートに自己のＩＰアドレスを返信する（一致応答を返信する）（ステップＳ１５）。
【００４３】
浴室情報端末装置２側において、ＰＣサーバソフトウェアからの一致応答の有無を監視し（ステップＳ１６）、ＰＣサーバソフトウェアから一致応答があると、相手ＩＰアドレスを記憶し（ステップＳ１７）、さらにこの相手ＩＰアドレスがＨＯＳＴアドレス範囲の最後のＩＰアドレスであるか否かの判断をする（ステップＳ１８）。また、前記ステップＳ１６において、ＰＣサーバソフトウェアから一致応答がないと判断されたときも、前記相手ＩＰアドレスがＨＯＳＴアドレス範囲の最後のＩＰアドレスであるか否かの判断をする（ステップＳ１８）。
【００４４】
相手ＩＰアドレスが最後のＩＰアドレスであるときは、記憶されたＩＰアドレスのサーバとのコネクションが確立され（ステップＳ２０）、一方、相手ＩＰアドレスが最後のＩＰアドレスでないときは、相手ＩＰアドレスをカウントアップし（ステップＳ１９）、ステップＳ１２に戻り、このカウントアップした相手ＩＰアドレスに対し自己のＩＤ（端末ＩＤ）とＩＰアドレスを秘密鍵で暗号化したパケットデータを送信する。このようにして、ＬＡＮ内のすべてのサーバに総当り方式で前記パケットデータが送信される。
この実施の形態でも、ＤＨＣＰ環境においてネットワーク設定をすることなくネットワークオーディオ機能のための浴室情報端末装置２とＰＣにインストールされた音楽サーバソフトウェアとのコネクション確立をすることができる。
【００４５】
図５は、本発明のコネクション確立方法のさらに他の実施の形態のフローチャートであり、この実施の形態では、装置単位ではなく当該装置にインストールされているアプリケーション毎に、換言すれば、ＰＣ側に備えられ、端末側のアプリケーションソフトウェア毎に対応したサーバソフトウェアと、端末側に備えられるアプリケーションソフトウェアとの間でコネクション確立を行なっている。前記浴室情報端末装置２のメモリ８には、当該浴室情報端末装置２が有するアプリケーション毎に設定された固有のアプリケーションＩＤが書き込まれており、一方、ＰＣ側に備えられ、端末側のアプリケーションソフトウェア毎に対応したサーバソフトウェアには、前記浴室情報端末装置２のアプリケーションＩＤと同じアプリケーションＩＤがプリセットされている。
【００４６】
まず、浴室情報端末装置２のコンテンツ再生プレーヤが起動されると、当該浴室情報端末装置２は、自己のアプリケーションＩＤ（端末アプリケーションＩＤ）とＩＰアドレスを秘密鍵で暗号化したパケットデータをＬＡＮ内にブロードキャスト方式で送信する（ステップＳ２１）。
コンテンツサーバとなるＰＣには、ＤＨＣＰにより自身に振り分けられたＩＰアドレスが１つ存在するとともに、例えば、音楽コンテンツサーバソフトウェアや映像コンテンツサーバソフトウェア等複数のサーバソフトウェアが存在している。そして、個々のコンテンツサーバソフトウェアは、前記浴室情報端末装置２からの、ブロードキャスト方式により送信された端末アプリケーションＩＤとＩＰアドレスのパケットデータを受信すると（ステップＳ２２）、前記パケットデータを所定の復号化手段によって復号化し、当該端末アプリケーションＩＤと同じアプリケーションＩＤがプリセットされているか否かの判断をする（ステップＳ２３）。
【００４７】
ＩＤが一致する場合、前記コンテンツサーバソフトウェアは、さらに該当するコンテンツが存在しているか否かの判断をする（ステップＳ２４）。コンテンツが存在する場合、ＰＣは、前記パケットデータ内のＩＰアドレスの指定ポートに自己のＩＰアドレスを返信する（一致応答を返信する）（ステップＳ２５）。
浴室情報端末装置２側において、コンテンツサーバソフトウェアからの一致応答の有無を監視し（ステップＳ２６）、コンテンツサーバソフトウェアから一致応答があると、ＰＣ側に備えられ、端末側のアプリケーションソフトウェア毎に対応したサーバソフトウェアと、端末側に備えられるアプリケーションソフトウェアとの間でコネクションが確立される（ステップＳ２７）。他のコンテンツについても、同様にして、コネクションが確立される。
【００４８】
この実施の形態では、作業者又はユーザの設定なしにコンテンツサーバと情報端末装置のコネクション確立をすることができるという、図３〜４に示される実施の形態の効果に加えて、前記コネクション確立を、例えば音楽、動画映像、静止画というようにアプリケーション単位で行えると効果が得られる。すなわち、ＤＨＣＰ環境においてサーバクライアントシステムを構築する従来のシステムでは、サーバ又は情報端末装置毎のコネクション確立を行なっている。このため、クライアントアプリケーションが更新された後に、新しいアプリケーションに対応していないサーバが起動しているときに辻褄の合わない動作になることがあった。例えば、情報端末装置が音楽再生ソフト及び動画映像再生ソフトをインターネット上からダウンロードしていたにもかかわらず、音楽コンテンツや動画コンテンツのサーバとなるべきＰＣに音楽サーバにのみ対応したソフトがインストールされていると、ユーザ側では、動画映像のメニューが表示されているにもかかわらず、動画映像を再生することができない。図６は、ＰＣ１において音楽サーバにのみ対応するソフトウェアが起動されており、音楽用のＩＤでのみコネクションが確立され、浴室情報端末装置２のメニュー表示に音楽だけが表示される例を示している。また、図７は、ＰＣ１において音楽、動画映像及び静止画に対応するサーバソフトウェアが起動していても、動画映像のコンテンツがＰＣ１に存在しない場合は、音楽及び静止画のアプリケーションＩＤでコネクションが確立され、浴室情報端末装置２のメニュー表示に音楽及び静止画のメニューだけが表示され、動画映像のメニューが表示されない例を示している。
【００４９】
本実施の形態に係るシステム又は確立方法では、浴室情報端末装置２から送信されてきた暗号化されたパケットデータを復号化でき、なおかつＩＤが一致し、さらに所定のコンテンツが存在するサーバだけがＩＰアドレスを返信するので、前述したような余計なメニューが表示されることがなく、ユーザの使い勝手をよくすることができる。
【００５０】
図８は、本発明のコネクション確立方法のさらに他の実施の形態のフローチャートであり、この実施の形態では、浴室情報端末装置２とＰＣ１とのコネクションを、当該浴室情報端末装置２のコンテンツ再生プレーヤの起動時だけでなく、起動後も一定時間間隔（例えば、１分毎）で行なっている。また、図５に示される実施の形態と同様に、装置単位ではなく当該装置にインストールされているアプリケーション毎にコネクション確立を行なっている。
【００５１】
まず、浴室情報端末装置２のコンテンツ再生プレーヤが起動されると、当該浴室情報端末装置２は、自己のアプリケーションＩＤ（端末アプリケーションＩＤ）とＩＰアドレスを秘密鍵で暗号化したパケットデータをＬＡＮ内にブロードキャスト方式で送信する（ステップＳ３１）。
コンテンツサーバとなるＰＣには、ＤＨＣＰにより自身に振り分けられたＩＰアドレスが１つ存在するとともに、例えば、音楽コンテンツサーバソフトウェアや映像コンテンツサーバソフトウェア等複数のサーバソフトウェアが存在している。そして、個々のコンテンツサーバソフトウェアは、前記浴室情報端末装置２からの、ブロードキャスト方式により送信された端末アプリケーションＩＤとＩＰアドレスのパケットデータを受信すると（ステップＳ３２）、前記パケットデータを所定の復号化手段によって復号化し、当該端末アプリケーションＩＤと同じアプリケーションＩＤがプリセットされているか否かの判断をする（ステップＳ３３）。
【００５２】
ＩＤが一致している場合、前記コンテンツサーバソフトウェアは、さらに該当するコンテンツが存在しているか否かの判断をする（ステップＳ３４）。コンテンツが存在する場合、ＰＣは、前記パケットデータ内のＩＰアドレスの指定ポートに自己のＩＰアドレスを返信する（一致応答を返信する）（ステップＳ３５）。
浴室情報端末装置２側において、コンテンツサーバソフトウェアからの一致応答の有無を監視し（ステップＳ３６）、コンテンツサーバソフトウェアから一致応答があると、ＰＣ側に備えられ、端末側のアプリケーションソフトウェア毎に対応したサーバソフトウェアと、端末側に備えられるアプリケーションソフトウェアとの間でコネクションが確立される（ステップＳ３７）。そして、一定時間が経過すると（ステップＳ３８）、ステップＳ３１に戻り、再度、前記パケットデータがＬＡＮ内にブロードキャスト方式で送信される。他のコンテンツについても、同様にして、コネクションが確立される。
【００５３】
この実施の形態では、作業者又はユーザの設定なしにコンテンツサーバと情報端末装置のコネクション確立をすることができ、かつコネクション確立を、例えば音楽、動画映像、静止画というようにアプリケーション単位で行えるという、図５に示される実施の形態の効果に加えて、ＰＣ１と浴室情報端末装置２との接続を所定時間間隔で監視することで、コネクション確立を動的に行なえるという効果が得られる。すなわち、ＤＨＣＰ環境においてサーバクライアントシステムを構築する従来のシステムでは、コネクション確立を情報端末装置のソフトウェア起動時にのみ行なっていたため、その後にコンテンツサーバが更新（新たなコンテンツサーバがＬＡＮに接続されたり、別のコンテンツサーバに交換されたりすること）されたときや、コンテンツサーバの電源が落とされたときに対応することができなかった。本実施の形態によれば、図９において、ユーザが第１ＰＣ１ａの音楽サーバから音楽コンテンツをダウンロード中に第２ＰＣ１ｂの音楽サーバが起動された場合、一定時間間隔でコネクション確立を行うことにより、前記第２ＰＣ１ｂの音楽サーバの起動を検出し、当該第２ＰＣ１ｂの音楽コンテンツも楽しむことができる（図９の動作１参照）。また、第１ＰＣ１ａと第２ＰＣ１ｂの音楽サーバが起動している状態から、第２ＰＣ１ｂの音楽サーバが終了された場合でも、一定時間間隔でコネクション確立を行うことにより、前記第２ＰＣ１ｂの音楽サーバの終了を検出し、浴室情報端末装置２のメニューから第２ＰＣ１ｂが削除される（図９の動作２参照）。
【００５４】
本実施の形態に係るシステム又は確立方法では、コンテンツ再生プレーヤが起動されたときだけでなく、その後一定時間間隔で、浴室情報端末装置２は、前記パケットデータを前記ＬＡＮに接続された各装置にブロードキャスト方式又は総当り方式にて送信し、ＰＣは、復号化されたＩＤと前記インストールされたＩＤとが一致したときに、前記情報端末装置に、ＤＨＣＰにより振り分けられた自己のＩＰアドレスを返信する。これにより、情報端末装置は一定時間間隔でコンテンツサーバとの接続を監視し、コネクション確立を動的にすることができる。
【００５５】
なお、図８に示される実施の形態において、アプリケーション毎にコネクションを確立させずに、図３〜４に示される実施の形態のように装置毎にコネクションを確立させるようにすることもできる。
また、前述した実施の形態において、給湯装置本体にコンテンツサーバとしての機能をもたせることもできる。この場合、浴室情報端末装置と給湯装置本体との間は、従来の２芯線に代えてケーブルで接続される。
【図面の簡単な説明】
【００５６】
【図１】本発明のコンテンツ再生システムの一実施の形態の説明図である。
【図２】本発明の情報端末装置の一実施の形態の構成図である。
【図３】本発明のコネクション確立方法の一実施の形態のフローチャートである。
【図４】本発明のコネクション確立方法の他の実施の形態のフローチャートである。
【図５】本発明のコネクション確立方法のさらに他の実施の形態のフローチャートである。
【図６】本発明のコンテンツ再生システムの他の実施の形態の説明図である。
【図７】本発明のコンテンツ再生システムの他の実施の形態の説明図である。
【図８】本発明のコネクション確立方法の他の実施の形態のフローチャートである。
【図９】本発明のコンテンツ再生システムのさらに他の実施の形態の説明図である。
【符号の説明】
【００５７】
１ＰＣ（コンテンツサーバ）
２浴室情報端末装置
３ＨＵＢ
４操作部
５表示部
６スピーカ
７制御部
８メモリ（記憶部）
９音声出力部
１０通信部
２１給湯装置本体
【図１】
2007088690.tif 000003
【図２】
2007088690.tif 000004
【図３】
2007088690.tif 000005
【図４】
2007088690.tif 000006
【図５】
2007088690.tif 000007
【図６】
2007088690.tif 000008
【図７】
2007088690.tif 000009
【図８】
2007088690.tif 000010
【図９】
2007088690.tif 000011